(57)【要約】本出願は、圧電アクチュエータ（１１）を有するアクチュエータユニットを有するペン型入力および／または出力デバイス（１）に関する。別の態様によれば、本出願は触覚信号を発生させる方法に関する。【選択図】図１
2021524639.tif 000002
【特許請求の範囲】
【請求項１】
圧電アクチュエータ（１１）を有するアクチュエータユニットを有する
ペン型入力および／または出力デバイス（１）。
【請求項２】
前記圧電アクチュエータ（１１）に電圧を印加するように構成された制御ユニット（１０）を有する
請求項１に記載のペン型入力および／または出力デバイス（１）。
【請求項３】
前記制御ユニット（１０）には、プロファイル、例えば表面プロファイルが保存されており、
前記制御ユニット（１０）は、前記圧電アクチュエータ（１１）を制御して、前記保存されたプロファイルの触感を発生させる信号を、前記ペン型入力および／または出力デバイス（１）に発生させるように構成されている
請求項２に記載のペン型入力および／または出力デバイス（１）。
【請求項４】
前記圧電アクチュエータ（１１）がセンサとして用いられ、前記ペン型入力および／または出力デバイス（１）に対する操作により、前記圧電アクチュエータ（１１）に電圧を発生させ、
前記ペン型入力および／または出力デバイス（１）は、前記圧電アクチュエータ（１１）に発生した電圧を識別し、前記発生した電圧の特徴を表す値を記憶するように構成された評価ユニット（１２）を有するように構成されている、
請求項１〜３のいずれか一項に記載のペン型入力および／または出力デバイス（１）。
【請求項５】
前記圧電アクチュエータ（１１）が、センサとして用いられるとともに、振動の発生に用いられるように構成されている
請求項４に記載のペン型入力および／または出力デバイス（１）。
【請求項６】
前記制御ユニット（１０）は、前記評価ユニット（１２）に記憶された値に基づいて前記圧電アクチュエータ（１１）を制御するように構成されている
請求項２および５に記載のペン型入力および／または出力デバイス（１）。
【請求項７】
前記アクチュエータユニットに接続されたプローブ素子（８）を有する
請求項１〜６のいずれか一項に記載のペン型入力および／または出力デバイス（１）。
【請求項８】
前記アクチュエータユニットは、前記圧電アクチュエータ（１１）に固定された機械的強化素子（１３ａ、１３ｂ）を有する
請求項１〜７のいずれか一項に記載のペン型入力および／または出力デバイス（１）。
【請求項９】
前記機械的強化素子（１３ａ、１３ｂ）は、前記圧電アクチュエータ（１１）の第１方向（Ｒ１）における伸びの変化により変形することによって、前記機械的強化素子（１３ａ、１３ｂ）の一部（１７ａ、１７ｂ、２０ａ、２０ｂ）が、前記圧電アクチュエータ（１１）に対して前記第１方向（Ｒ１）に垂直な第２方向（Ｒ２）に沿って可動となるように構成および配置されている
請求項８に記載のペン型入力および／または出力デバイス（１）。
【請求項１０】
前記圧電アクチュエータ（１１）は、長さの変化によって、ｄ３１効果を利用して振動を発生させるように構成および配置され、
または、
前記圧電アクチュエータ（１１）は、長さの変化によって、ｄ３３効果を利用して振動を発生させるように構成および配置されている
請求項１〜９のいずれか一項に記載のペン型入力および／または出力デバイス（１）。
【請求項１１】
傾角センサ（２７）および／または距離センサ（３０）および／または速度センサ（２８）および／または加速度センサ（２９）をさらに有する
請求項１〜１０のいずれか一項に記載のペン型入力および／または出力デバイス（１）。
【請求項１２】
前記アクチュエータユニットに対する制御において、および／または前記アクチュエータユニットに発生した電圧に対する評価において、前記傾角センサ（２７）によって検出された角度を考慮し、
かつ／または、
前記アクチュエータユニットに対する制御において、および／または前記アクチュエータユニットに発生した電圧に対する評価において、前記速度センサ（２８）によって検出された速度を考慮し、
かつ／または、
前記アクチュエータユニットに対する制御において、および／または前記アクチュエータユニットに発生した電圧に対する評価において、前記加速度センサ（２９）によって検出された加速度を考慮する
請求項１１に記載のペン型入力および／または出力デバイス（１）。
【請求項１３】
制御信号を識別するように構成されている
請求項１〜１２に記載のペン型入力および／または出力デバイス（１）。
【請求項１４】
センサ情報に基づいて、適切なアルゴリズム識別によって制御信号を識別するように構成されている
請求項１３に記載のペン型入力および／または出力デバイス（１）。
【請求項１５】
起動信号を識別し、前記起動信号が識別された場合にのみ、前記アクチュエータユニットを作動させるように構成されている
請求項１〜１４のいずれか一項に記載のペン型入力および／または出力デバイス（１）。
【請求項１６】
前記圧電アクチュエータ（１１）に記録された電圧に基づいて加速度を確定するように構成されている
請求項１〜１５のいずれか一項に記載のペン型入力および／または出力デバイス（１）。
【請求項１７】
前記圧電アクチュエータ（１１）以外に、他のセンサを有しておらず、または
前記圧電アクチュエータ（１１）以外に、他のセンサを多くとも２つ有する
請求項１〜１６のいずれか一項に記載のペン型入力および／または出力デバイス（１）。
【請求項１８】
前記圧電アクチュエータ（１１）は圧力センサとして用いられるように構成されている
請求項１〜１７のいずれか一項に記載のペン型入力および／または出力デバイス（１）。
【請求項１９】
前記圧電アクチュエータ（１１）に発生した電圧に基づいて、前記ペン型入力および／または出力デバイス（１）を手に取る操作または把持する操作を識別するように構成されている
請求項１〜１８のいずれか一項に記載のペン型入力および／または出力デバイス（１）。
【請求項２０】
圧電アクチュエータ（１１）を含むアクチュエータユニットを有するペン型入力および／または出力デバイス（１）によって触覚信号を発生させる方法であって、
制御ユニット（１０）が前記圧電アクチュエータ（１１）に電圧を印加することによって、前記圧電アクチュエータ（１１）の振動を励起し、前記振動によって触覚信号を発生させる方法。
【請求項２１】
前記制御ユニット（１０）が前記圧電アクチュエータ（１１）に電圧を印加することによって、表面の触感を発生させる信号を、前記圧電アクチュエータ（１１）の振動によって発生させる
請求項２０に記載の方法。
【請求項２２】
第１ステップにおいて、前記ペン型入力および／または出力デバイス（１）を表面に沿って移動させ、前記表面が前記アクチュエータユニットに接続された素子に作用することによって、前記圧電アクチュエータ（１１）が、評価ユニット（１２）によって識別される電圧を発生させ、前記評価ユニット（１２）は、発生した電圧の特徴を表す値を記憶し、さらに前記表面プロファイルを記憶する
請求項２０または２１に記載の方法。
【請求項２３】
第２ステップにおいて、前記制御ユニット（１０）は、前記記憶されたプロファイルに基づいて前記圧電アクチュエータ（１１）を制御する
請求項２２に記載の方法。
【請求項２４】
前記第１ステップの間に、前記ペン型入力および／または出力デバイス（１）と表面との間の角度を検出し、前記表面プロファイルを作成する過程で前記評価ユニット（１２）によって前記角度を考慮し、
かつ／または
前記第１ステップの間に、前記ペン型入力および／または出力デバイス（１）が表面上を移動するときの速度を検出し、前記表面プロファイルを作成する過程で前記評価ユニット（１２）によって前記速度を考慮し、
かつ／または
前記第１ステップの間に、前記ペン型入力および／または出力デバイス（１）が表面上を移動するときの加速度を検出し、前記表面プロファイルを作成する過程で前記評価ユニット（１２）によって前記加速度を考慮する
請求項２２または２３に記載の方法。
【請求項２５】
前記ペン型入力および／または出力デバイス（１）を、仮想現実アプリケーションまたは拡張現実アプリケーションに応用する
請求項２０〜２４のいずれか一項に記載の方法。
【請求項２６】
前記ペン型入力および／または出力デバイス（１）の傾角を検出し、前記傾角を考慮する場合に、前記制御ユニット（１０）が前記圧電アクチュエータ（１１）に印加する電圧の大きさを調整し、
かつ／または
前記ペン型入力および／または出力デバイス（１）の移動時の速度を検出し、前記速度を考慮する場合に、前記制御ユニット（１０）が前記圧電アクチュエータ（１１）に印加する電圧の大きさを調整し、
かつ／または
前記ペン型入力および／または出力デバイス（１）にかかる加速度を検出し、前記加速度を考慮する場合に、前記制御ユニット（１０）が前記圧電アクチュエータ（１１）に印加する電圧の大きさおよび周波数を調整する
請求項２０〜２５のいずれか一項に記載の方法。
【請求項２７】
前記ペン型入力および／または出力デバイス（１）によって、前記ペン型入力および／または出力デバイス（１）から表面までの距離を識別する
請求項２０〜２６のいずれか一項に記載の方法。
【請求項２８】
前記ペン型入力および／または出力デバイス（１）によって制御信号を識別する
請求項２０〜２７のいずれか一項に記載の方法。
【請求項２９】
前記圧電アクチュエータ（１１）で検出された電圧が予め定められた閾値を超えることによって、前記制御信号を識別する
請求項２８に記載の方法。
【請求項３０】
前記圧電アクチュエータ（１１）で検出された電圧が所定の時間間隔内に前記予め定められた閾値を超える頻度に基づいて、異なる制御信号を識別する
請求項２９に記載の方法。
【請求項３１】
前記圧電アクチュエータ（１１）で検出された電圧が前記予め定められた閾値を超える持続時間に基づいて、異なる制御信号を識別する
請求項２９または３０に記載の方法。
【請求項３２】
前記ペン型入力および／または出力デバイスは、起動信号を識別し、前記起動信号を識別した場合に、前記アクチュエータユニットを作動させる
請求項２０〜３１のいずれか一項に記載の方法。
【請求項３３】
前記ペン型入力および／または出力デバイス（１）を手に取ることによって、起動信号を発信し、または
前記ペン型入力および／または出力デバイス（１）を表面に近づけることによって、起動信号を発信し、または
前記ペン型入力および／または出力デバイス（１）で表面を叩くことによって、起動信号を発信する
請求項３２に記載の方法。
【請求項３４】
前記ペン型入力および／または出力デバイス（１）は、前記圧電アクチュエータ（１１）に記録された電圧に基づいて加速度を確定する
請求項２０〜３３のいずれか一項に記載の方法。
【請求項３５】
前記ペン型入力および／または出力デバイスは特徴的な加速度パターンを識別することによって、定義された移動を検知し、前記移動は制御信号として解釈される
請求項３４に記載の方法。
【請求項３６】
前記圧電アクチュエータ（１１）はセンサとして用いられるとともに、振動の発生に用いられる
請求項２０〜３５のいずれか一項に記載の方法。
【発明の詳細な説明】
【技術分野】
【０００１】
本発明は、ペン型入力および／または出力デバイス、ならびに触覚信号を発生させる方法に関する。
【背景技術】
【０００２】
仮想現実アプリケーションと拡張現実アプリケーションの分野において、ペンを使って表面をタッチすることが増えている。そこで、予め記憶された面においてペンが移動するイメージをユーザに伝えることが望まれる。表面プロファイルをリアルに再現するために、応答時間の短いアクチュエータが有利である。
【０００３】
例えば、ＵＳ８９８８４４５Ｂ２には、このようなペンが開示されている。このペンは振動コイルを含むリニアアクチュエータを有する。このようなアクチュエータは応答時間および減衰時間が長い。そのため、表面プロファイルのあらゆる細部を触覚で体験させることができない。また、ＵＳ８９８８４４５Ｂ２に記載されたペンには複数のセンサが必要である。
【先行技術文献】
【特許文献】
【０００４】
【特許文献１】米国特許第８９８８４４５号明細書
【発明の概要】
【発明が解決しようとする課題】
【０００５】
本発明の目的は、有利なペン型入力および／または出力デバイスを提供することにある。本発明の別の目的は、このような入力および／または出力デバイスによって触覚信号を発生させる有利な方法を提供することにある。
【課題を解決するための手段】
【０００６】
上記目的は、請求項１に記載のペン型入力および／または出力デバイス、および別の独立項に記載の方法によって達成される。
【０００７】
圧電アクチュエータを有するアクチュエータユニットを有するペン型入力および／または出力デバイスを提供する。一実施形態において、ペン型入力および／または出力デバイスは圧電アクチュエータをより多く有してもよい。
【０００８】
圧電アクチュエータは異なる幾何学的形状で製造されてもよい。これによって、ペン型入力および／または出力デバイスの幾何学的形状に応じて圧電アクチュエータの幾何学的構成案を調整することができる。圧電アクチュエータを使用するもう一つの利点は、圧電アクチュエータの迅速な応答特性および減衰特性にある。圧電アクチュエータで発生させる振動の迅速な応答および減衰だけで、リアルな触覚信号を発生させることができる。
【０００９】
広い周波数スペクトラムからの周波数によって圧電アクチュエータの振動を励起することができる。例えば、圧電アクチュエータに印加する入力電圧は５Ｈｚ〜１０ＫＨｚにある周波数を有してもよい。このように異なる周波数を使用することができるため、幅広い周波数範囲で圧電アクチュエータの振動を励起することができる。これによって、異なるテクスチャを持つ表面を模擬する異なる触感を発生させることができる。
【００１０】
圧電アクチュエータに印加する信号は任意の形状の信号であってよい。圧電アクチュエータは、例えば正弦形状の入力信号に限定されない。
【００１１】
圧電アクチュエータとして、単層アクチュエータまたは積層圧電素子のいずれも用いることができる。積層素子の場合、内部電極およびその間に設けられた圧電層は交互に上下に積層される。
【００１２】
圧電アクチュエータによって異なる触覚信号を発生させることができる。圧電アクチュエータの振動の振幅および周波数はいずれも可変である。これによって、例えば表面の異なるテクスチャをリアルな触覚で体験させることができる。
【００１３】
例えば仮想現実アプリケーションまたは拡張現実アプリケーションへの応用において、ペン型入力および／または出力デバイスは、入力デバイスとしても出力デバイスとしても用いることができる。入力デバイスとして用いる場合は、ユーザがペン型デバイスを特定の位置まで移動させることで入力することができる。これによって、ユーザは、例えば制御命令をアプリケーションに転送することができる。出力デバイスとして用いる場合は、アクチュエータユニットの振動によって触覚信号をユーザに転送するように、ペン型デバイスを介して出力する。ペン型デバイスは、入力デバイスのみとして、または出力デバイスのみとして、または組合せ型の入出力デバイスとして動作することができる。
【００１４】
ペン型入力および／または出力デバイスは、圧電アクチュエータに電圧を印加するように構成された制御ユニットを有してもよい。圧電アクチュエータに印加する電圧によって、圧電アクチュエータの振動を励起することができる。ペン型入力および／または出力デバイスを掴むまたは把持するユーザにとって、前記振動は触覚信号であってもよい。圧電アクチュエータの振動の周波数および振幅によって、ユーザのために異なる触感を発生させることができる。
【００１５】
制御ユニットには、プロファイルが保存されてもよい。制御ユニットは、圧電アクチュエータを制御して、保存されたプロファイルの触感を発生させる信号をペン型入力および／または出力デバイスに発生させるように構成されてもよい。プロファイルは、特に、表面プロファイルであってもよい。当該表面プロファイルは表面のテクスチャを再現することができる。例えば、触覚信号によって再現したい表面の粗さに応じて触覚信号を変更してもよい。
【００１６】
ペン型入力および／または出力デバイスは、圧電アクチュエータがセンサとして用いられるように構成されてもよい。ペン型入力および／または出力ユニットに対する操作により、圧電アクチュエータに電圧を発生させることができる。ペン型入力および／または出力デバイスは、圧電アクチュエータに発生した電圧を識別し、当該発生した電圧の特徴を表す値を記憶するように構成された評価ユニットを有してもよい。入出力デバイスは、プロファイルが記憶された一つまたは複数の表面に沿ってデバイスを案内する読み込みモードで動作してもよい。
【００１７】
前記ペン型入力および／または出力デバイスは、圧電アクチュエータがセンサとして用いられるとともに、振動の発生に用いられるように構成されてもよい。例えば、圧電アクチュエータが表面プロファイルを読み込むためのセンサとして用いられる読み込みモードで、アクチュエータによって振動を発生させることができる。例えば、読み込み操作期間において圧電アクチュエータに印加する力が定められた閾値を超えたと識別されると、これに基づいて電子制御装置によってアクチュエータの振動を励起することができる。当該振動は例えば動作モードを切り替えるようにユーザを指示するためのものである。代替の手段として、当該振動は損傷を防止するためにデバイスを待機モードに切り替えるようにユーザを指示するためのものであってもよい。
【００１８】
圧電アクチュエータを触覚信号の発生に用いる再現モードにおいて、圧電アクチュエータは同時にセンサとして動作してもよい。ここで、圧電アクチュエータに存在する電圧をモニタリングしてもよい。これによって、例えばデバイスで表面を叩くことで発信する制御信号を識別することができる。代替または補充の手段として、これによって、ペン型入力および／または出力デバイスを表面へ押し付ける力が大きすぎる場合を識別することができる。この場合に、デバイスは損傷を回避するために自動的に遮断されるか、または待機モードに入ることが可能である。
【００１９】
制御ユニットは、評価ユニットに記憶された値に基づいて圧電アクチュエータを制御するように構成されてもよい。これによって、制御ユニットは、予め保存されたプロファイル、またはペン型入力および／または出力デバイスによって読み込みモードで読み込まれたプロファイルに基づいて、圧電アクチュエータを制御する。
【００２０】
ペン型入力および／または出力デバイスは、アクチュエータユニットに接続されたプローブ素子を有してもよい。デバイスのペン型形式について、プローブ素子は、ペン先に配置され、それに応じて実際または仮想の表面において案内されるように構成されてもよい。プローブ素子は先細り状であってもよい。プローブ素子は、特にプローブ先端部を有してもよい。プローブ素子は、ペン型入力および／または出力デバイスのベースに対して可動に配置されてもよい。それに応じて、プローブ素子は表面に接触するときに移動することができる。プローブ素子は、圧電アクチュエータによって振動するように構成されてもよい。プローブ素子の振動によって触覚信号を発生させることができる。
【００２１】
アクチュエータユニットは、圧電アクチュエータに固定された機械的強化素子を有してもよい。機械的強化素子は、圧電アクチュエータの第１方向における伸びの変化により変形することによって、機械的強化素子の一部が、圧電アクチュエータに対して第１方向に垂直な第２方向に沿って可動となるように構成および配置されてもよい。
【００２２】
機械的強化素子は、アクチュエータの移動を、大きな振幅を有する第２方向に沿った移動に変換するように構成されてもよい。振幅を大きくすることによって、触覚信号を強くすることができる。
【００２３】
圧電アクチュエータは、長さの変化によって、ｄ３１効果またはｄ３３効果を利用して振動を発生させるように構成および配置されてもよい。
【００２４】
代替または補充の手段として、ペン型入力および／または出力デバイスは傾角センサを有してもよい。代替または補充の手段として、ペン型入力および／または出力デバイスは距離センサを有してもよい。代替および／または補充手段として、ペン型入力および／または出力デバイスは速度センサを有してもよい。代替または補充の手段として、ペン型入力および／または出力デバイスは加速度センサを有してもよい。代替および／または補充手段として、ペン型入力および／または出力デバイスは他のセンサを有してもよい。ここで述べられるセンサのうちのそれぞれはＭＥＭＳ部品として実施してもよい。ここで述べられるセンサのうちのそれぞれは独立してセンサであってもよい。代替の手段として、ここで述べられるセンサのうちの２つまたは２つ以上は、複数の測定される変数を確定するように構成されている。
【００２５】
ここで述べられるセンサによって、測定される変数、例えば傾角、速度、加速度または距離を確定することができ、アクチュエータユニットによって触覚信号を発生させる過程、および表面プロファイルを読み込む過程の両方において、これらの測定される変数を考慮してもよい。これによって、読み込まれた表面プロファイルの精度を向上させ、かつ／または、触覚信号のよりリアルな再現を実現することができる。しかし、ここで述べられるセンサを備えていなくても、またはここで述べられるセンサのうち一部しか備えていなくても、ペン型入力および／または出力デバイスは機能が完全である。したがって、センサは精度を向上させるためのものに過ぎず、デバイスの機能原理にとって必要不可欠なものではない。
【００２６】
圧電アクチュエータは、例えば加速度を測定するセンサとして用いられてもよい。ここで、圧電アクチュエータに発生した電圧によって加速度を推定してもよい。これによって、圧電アクチュエータは加速度センサとして用いられてもよく、また、一実施例において独立した加速度センサを用いなくてもよい。ここで、圧電アクチュエータに接続された評価ユニットは、デバイスが読み込み対象表面上を移動し、圧電アクチュエータが表面から付勢されることによって発生した電圧と、デバイスに加速がかかり、アクチュエータに力が作用することにより発生した電圧とを区別するように構成されてもよい。２つのタイプの電圧は、評価ユニットによって識別可能な特徴的なパターンを有してもよい。
【００２７】
加速度センサとして用いられる圧電アクチュエータによって識別される加速度は、例えばペン型入力および／または出力デバイスによる表面に対する叩打によって発生するものであってもよい。ユーザによる制御命令を示すペン型入力および／または出力デバイスの他の移動も、加速度センサとして用いられる圧電アクチュエータによって識別される加速度と関連付けてもよい。
【００２８】
ペン型入力および／または出力デバイスの表面における移動速度を変更するほか、圧電アクチュエータに力を作用させるようなペン型入力および／または出力デバイスの移動を変更することによって、ペン型入力および／または出力デバイスに加速度を加えてもよい。圧電アクチュエータに接続された評価ユニットは、表面における移動によって発生したサンプリング信号と、ペン型入力および／または出力デバイスに加速度を加える他の移動とを区別するように構成されてもよい。アクチュエータユニットに対する制御において、および／またはアクチュエータユニットに発生した電圧に対する評価において、傾角センサによって検出された角度を考慮してもよい。アクチュエータユニットに対する制御において、および／またはアクチュエータユニットに発生した電圧に対する評価において、速度センサによって検出された速度を考慮してもよい。アクチュエータユニットに対する制御において、および／またはアクチュエータユニットに発生した電圧に対する評価において、加速度センサによって検出された加速度を考慮してもよい。
【００２９】
ペン型入力および／または出力デバイスは、制御信号を識別するように構成されてもよい。ここで、当該制御信号は、例えばボタンまたはタッチスクリーンの操作素子によって発生させるものではなく、ペン型入力および／または出力デバイスの特定の移動によって発生させるものであってもよい。特に、センサ情報に基づいて、適切なアルゴリズムによって制御信号を識別してもよい。好ましい実施例において、ペン型入力および／または出力デバイスは、ユーザに操作させるための制御信号を発信する操作素子を有していない。
【００３０】
例えば、ペン型入力および／または出力デバイスで表面を１回または複数回叩くこと、および／またはペン型入力および／または出力デバイスを特定時間、表面へ押し付けること、および／またはペン型入力および／または出力デバイスを特定の方式で移動させ、特徴的な加速度パターンを加えることによって、制御信号を発信してもよい。制御命令を示すデバイスの移動の例として、デバイスの揺動またはデバイスの円状移動がある。また、ペン型入力および／または出力デバイスを手に取ることによって制御信号を発信してもよい。
【００３１】
上記制御信号に関する例は、いずれも圧電アクチュエータに力を印加することである。デバイスで表面を叩くまたはデバイスを表面へ押し付ける場合に、デバイスのプローブ素子は圧電アクチュエータに作用してそれを変形させることができるため、アクチュエータに電圧が発生する。ペン型入力および／または出力デバイスを特定の方式で移動させると、この移動の特徴を表す加速度パターンがデバイスに印加される。圧電アクチュエータは、同様に加速度によって変形し、圧電アクチュエータに電圧が発生する。圧電アクチュエータに接続された回路は、圧電アクチュエータに発生した電圧に基づいて制御信号を識別するように構成されてもよい。
【００３２】
例えば、ペン型入力および／または出力デバイスは起動信号を識別し、起動信号が識別された場合にのみ、アクチュエータユニットを作動させるように構成されてもよい。このように、省エネルギー動作を実現するペン型入力および／または出力デバイスを構成することができる。予想外の作動を回避し、デバイスのエネルギー源、例えばバッテリに対する不必要な負荷を防止することができる。
【００３３】
起動信号は上記制御信号の一例である。その他の想定される制御信号として、動作モードを切り替えるための制御信号、または、デバイスをシャットダウンもしくは待機モードに切り替えるためのシャットダウン信号であってもよい。
【００３４】
代替または補充の手段として、ペン型入力および／または出力デバイスは、ユーザがデバイスを手に取る場合に、ユーザによってペン型入力および／または出力デバイスに印加される機械的圧力を識別するように構成されてもよい。ここで、例えば、ペン型入力および／または出力デバイスが手に取られたと識別されることを起動信号として解釈してもよい。圧電アクチュエータは圧力センサとして用いられてもよい。このため、ペン型入力および／または出力デバイスに印加される圧力によって圧電アクチュエータに発生した電圧を読み出すことができる。圧電アクチュエータがペン型入力および／または出力デバイスの表面の真下に配置されることが好ましい。ここで、圧電アクチュエータは、ペン型入力および／または出力デバイスを把持するユーザの指が通常位置する箇所に配置されることが好ましい。また、圧電アクチュエータは、圧電アクチュエータに発生した電圧に基づいてデバイスに対する把持を識別するように構成されてもよい。
【００３５】
一実施形態において、ペン型入力および／または出力デバイスは、表面の真下に配置されるとともに、それぞれにデバイスを把持するユーザの指が通常位置する箇所に配置されている２つの圧電アクチュエータを有してもよい。この２つの圧電アクチュエータは、圧力センサとして用いられ、手に取ることを識別するように構成されてもよい。
【００３６】
ペン型入力および／または出力デバイスは、圧電アクチュエータ以外、他のセンサを有していなくてもよい。ペン型入力および／または出力デバイスを再現モードに応用するために、センサは一切必要ない。読み込みモードに応用するために、圧電アクチュエータだけで十分であり、それは、この圧電アクチュエータをセンサとして用い、圧電アクチュエータに発生した電圧に基づいて読み込み対象表面プロファイルを推定することができるためである。
【００３７】
他のセンサを採用しないため、簡単かつ低コストのペン型入力および／または出力デバイスを構成することができる。また、センサを採用しないことはデバイスの小型化に寄与する。
【００３８】
代替の手段として、別の実施例において、デバイスは圧電アクチュエータ以外に、他のセンサを多くとも２つ有してもよい。この２つの他のセンサは、例えば、傾角センサ、速度センサ、距離センサ、および加速度センサのうちの２つであってもよい。他のセンサを用いることによって、触覚信号を発生させる過程、および、表面プロファイルを読み込む過程において精度を向上させることができる。他の代替の実施例において、デバイスはセンサを２つ以上有してもよい。
【００３９】
別の態様によれば、本発明は、圧電アクチュエータを含むアクチュエータユニットを有するペン型入力および／または出力デバイスによって触覚信号を発生させる方法に関する。当該ペン型入力および／または出力デバイスは、上記のペン型入力および／または出力デバイスであってもよい。前記デバイスについて開示されたすべての構造的特徴および機能的特徴は、同様に上記方法に適用される。前記方法について開示されたすべての構造的特徴および機能的特徴は、上記デバイスに適用される。
【００４０】
前記方法においては、制御ユニットが圧電アクチュエータに電圧を印加することによって、圧電アクチュエータの振動を励起し、前記振動によって触覚信号を発生させる。したがって、この方法は、圧電アクチュエータをアクチュエータユニットに応用することによって生じる利点を有する。その利点のうち、応答時間の短さおよび減衰時間の短さによって、リアルな触覚信号を発生させる。圧電アクチュエータの幾何学的構成案は適応性が高く、様々なペン型入出力デバイスへの応用を実現する。また、高い帯域幅で触覚信号を発生させることができる。
【００４１】
制御ユニットが圧電アクチュエータに電圧を印加することによって、表面の触感を発生させる信号を、圧電アクチュエータの振動によって発生させることができる。ここで、圧電アクチュエータに印加する信号の周波数および／または振幅の変化により、異なる表面を感じ取らせることができる。
【００４２】
第１ステップにおいて、ペン型入力および／または出力デバイスを表面に沿って移動させ、当該表面がアクチュエータユニットに接続された素子に作用することによって、圧電アクチュエータが、評価ユニットによって識別される電圧を発生させる。当該評価ユニットは、発生した電圧の特徴を表す値を記憶し、さらに表面プロファイルを記憶する。これによって、圧電アクチュエータをセンサとして用いることができる。当該アクチュエータユニットに接続された素子はプローブ素子であってもよい。
【００４３】
第２ステップにおいて、制御ユニットは、記憶されたプロファイルに基づいて圧電アクチュエータを制御することができる。
【００４４】
第１ステップの間に、ペン型入力および／または出力デバイスと表面との間の角度を検出し、表面プロファイルを作成する過程で評価ユニットによって当該角度を考慮してもよい。当該角度は傾角であってもよい。代替または補充の手段として、第１ステップの間に、ペン型入力および／または出力デバイスが表面上を移動するときの速度を検出し、表面プロファイルを作成する過程で評価ユニットによって当該速度を考慮してもよい。代替または補充の手段として、第１ステップの間に、ペン型入力および／または出力デバイスが表面上を移動するときの加速度を検出し、表面プロファイルを作成する過程で評価ユニットによって当該加速度を考慮してもよい。それぞれに対応するセンサによって角度、速度および加速度を確定してもよい。
【００４５】
ペン型入力および／または出力デバイスは、仮想現実アプリケーションまたは拡張現実アプリケーションに応用することができる。
【００４６】
ペン型入力および／または出力デバイスの傾角を検出してもよい。ここで、当該傾角を考慮する場合に、制御ユニットが圧電アクチュエータに印加する電圧の大きさを調整してもよい。ペン型入力および／または出力デバイスの移動時の速度を検出してもよい。ここで、当該速度を考慮する場合に、制御ユニットが圧電アクチュエータに印加する電圧の大きさを調整してもよい。ペン型入力および／または出力デバイスに加えられる加速度を検出してもよい。ここで、当該加速度を考慮する場合に、制御ユニットが圧電アクチュエータに印加する電圧の大きさおよび周波数を調整してもよい。
【００４７】
ペン型入力および／または出力デバイスから表面までの距離をデバイスによって識別してもよい。例えば、超音波または光学測定に基づく距離センサを使用することによって実現してもよい。
【００４８】
ペン型入力および／または出力デバイスによって制御信号を識別してもよい。特に、センサ情報に基づいて、適切なアルゴリズムによって制御信号を識別してもよい。圧電アクチュエータで検出された電圧が予め定められた閾値を超えることで制御信号を識別してもよい。デバイスによる表面の叩打が、閾値を超える原因となり得る。
【００４９】
圧電アクチュエータで検出された電圧が所定の時間間隔内に予め定められた閾値を超える頻度に基づいて、異なる制御信号を識別することができる。これによって、一回の叩打と複数回の叩打を区別することができる。一回の叩打と複数回の叩打を異なる制御信号に関連付けてもよい。
【００５０】
圧電アクチュエータで検出された電圧が予め定められた閾値を超える持続時間に基づいて、異なる制御信号を識別することができる。閾値を超える時間が長くなれば、例えばデバイスが表面を長押ししていると推定することができる。
【００５１】
ペン型入力および／または出力デバイスは、起動信号を識別し、起動信号を識別した場合に、アクチュエータユニットを作動させるように構成されてもよい。デバイスを手に取ること、デバイスを表面に近づけること、またはデバイスで表面を叩くことによって、起動信号を発信してもよい。
【００５２】
ペン型入力および／または出力デバイスは、圧電アクチュエータに記録された電圧に基づいて、加速度を確定するように構成されてもよい。これにより、圧電アクチュエータを加速度センサとして用いることができる。代替または補充の手段として、ペン型入力および／または出力デバイスは、独立した加速度センサを有してもよい。デバイスは、特徴的な加速度パターンを識別することによって、定義された移動を検知するように構成されてもよい。このように、デバイスの特定の移動により発信される制御信号を識別することができる。例えば、デバイスの揺動または周回によって、特定の制御信号を発信してもよい。
【００５３】
圧電アクチュエータは、センサとして用いられるとともに、振動の発生に用いられてもよい。
【図面の簡単な説明】
【００５４】
次に、図面を参照して本発明の好ましい実施例を説明する。
【図１】図１は、第１実施例に係るペン型入力および／または出力デバイスの横断面図である。
【図２】図２は、図１に示すペン型入力および／または出力デバイスの透視図である。
【図３】図３は、第２実施例に係る入力および／または出力デバイスの一部を示す図である。
【図４】図４は、２つの機械的強化素子を含む圧電アクチュエータを示す図である。
【図５】図５は、別の実施例に係るペン型入力および／または出力デバイスを示す図である。
【図６】図６は、さらに別の実施例に係るペン型入力および／または出力デバイス１を示す図である。
【発明を実施するための形態】
【００５５】
図１はペン型入力および／または出力デバイス１の横断面図である。図２はペン型入力および／または出力デバイス１の透視図である。
【００５６】
ペン型入力および／または出力デバイス１は、ユーザに触覚信号を伝えるために仮想現実アプリケーションまたは拡張現実アプリケーションに応用することができる。このようにして、ユーザに触感を感じさせることができる。例えば、ペン型入力および／または出力デバイス１が表面上を移動しているイメージをユーザに持たせることができる。このため、ペン型入力および／または出力デバイス１は、振動を発生させるように構成されたアクチュエータユニットを有し、上記振動によってペン型入力および／または出力デバイス１が表面上を移動する触感をユーザに伝える。
【００５７】
ペン型入力および／または出力デバイス１は２つの異なる動作モードで使用することができる。第１動作モードは「再現モード」とも呼ばれる。ここでは、上記アクチュエータユニットによって振動を発生させ、この振動によってユーザに触感を伝える。第２動作モードは「読み込みモード」とも呼ばれる。ここでは、表面に沿ってペン型入力および／または出力デバイス１を案内する。この場合に、当該表面からペン型入力および／または出力デバイス１に加えられる力は、ペン型入力および／または出力デバイス１によって識別され、これにより表面プロファイルを算出して記憶する。「再現モード」においては、例えば「読み込みモード」で記憶された表面プロファイルを再現する触覚信号を発生させることができる。
【００５８】
上記アクチュエータユニットは圧電アクチュエータ１１を有する。図１および図２に示す実施例において、圧電アクチュエータ１１は積層圧電素子であり、ｄ３１効果を利用して振動を発生させる。したがって、圧電アクチュエータ１１の伸びは分極方向および電界に対して横方向に変化する。代替の実施例において、圧電アクチュエータ１１は長手方向のアクチュエータとして動作してもよい。この場合、ｄ３３効果によって振動を発生させる。長手方向のアクチュエータにおいて、分極方向に平行な圧電層２２に電界を印加する。これによって、分極方向に沿った延出または偏向を誘導する。
【００５９】
図１および図２に示すように、圧電アクチュエータ１１は積層圧電素子である。当該積層圧電素子は、交互に上下に積層される複数の内部電極２１および圧電層２２を有する。代替の手段として、圧電アクチュエータ１１は、１つの圧電層および２つの外部電極を有する単層アクチュエータであってもよい。
【００６０】
ペン型入力および／または出力デバイス１はベース２を有する。ベース２は管状である。圧電アクチュエータ１１およびペン型入力および／または出力デバイス１の他の素子はベース２に配置されている。ベース２はプラスチックまたは金属を有してもよい。
【００６１】
ベース２は、その形状によって入力および／または出力デバイス１のペン型の構成案を定義する。ペン型入力および／または出力デバイス１は、ペン先を模倣した第１末端３と、第２末端４とを有する。第２末端４は、第１末端３と対向し、ペン型入力および／または出力デバイス１の通常ユーザによって把持される末端を構成する。
【００６２】
ペン型入力および／または出力デバイス１は、さらにプローブ素子５を有する。プローブ素子５は圧電アクチュエータ１１に接続されている。ペン型入力および／または出力デバイス１の第１末端３に向けられた圧電アクチュエータ１１の第１末端６は、例えば接着によって、特にプローブ素子５に固定されている。代替の実施例において、プローブ素子５はスプリング付勢による接続によって上記圧電アクチュエータに接続されてもよい。
【００６３】
プローブ素子５は、圧電アクチュエータ１１とは反対側に、先細りの形状を有する。上記先細りの形状は、ペン型入力および／または出力デバイス１においてペン先を模したものである。プローブ素子５はプローブ先端部８を構成している。触覚信号によってプローブ素子５、特にプローブ先端部８が表面上を移動するイメージをユーザに伝えることができる。プローブ先端部８は尖っていても丸められていてもよい。
【００６４】
圧電アクチュエータ１１を振動させると、振動はプローブ素子５に伝達される。これによってプローブ素子５の振動を励起し、この振動が、プローブ素子５が表面上を移動する触感を発生させる。
【００６５】
プローブ素子５はベース２の内部に配置され、上記先細りの末端が構成するプローブ先端部８はベース２から延出する。プローブ素子５はベース２に対して可動である。プローブ先端部８は、特にプローブ素子５が振動するときにベース２に対して可動である。
【００６６】
ペン型入力および／または出力デバイス１は、さらに保持素子９を有する。保持素子９には、圧電アクチュエータ１１の第１末端６と対向する圧電アクチュエータ１１の第２末端７が固定されている。ここで、圧電アクチュエータ１１の第２末端７は、圧電アクチュエータ１１の振動が保持素子９に伝達されないように保持素子９に固定されている。保持素子９は例えば射出成形体であってもよい。代替の手段として、保持素子９は制御ユニット１０および／または評価ユニット１２が形成されているプリント回路基板であってもよい。
【００６７】
保持素子９はベース２の内部に配置されている。ここで、保持素子９はベース２に固定接続されている。圧電アクチュエータ１１の振動はベース２に伝達されない。保持素子９とベース２は慣性質量を形成し、その振動を圧電アクチュエータ１１によって励起しにくくしてもよい。代替の手段として、ダンピングによって、圧電アクチュエータ１１の振動がベース２伝達されるのを防止してもよい。このように、ベース２と圧電アクチュエータ１１とは機械的に分離される。
【００６８】
ペン型入力および／または出力デバイス１は、さらに上記制御ユニット１０を有する。制御ユニット１０は圧電アクチュエータ１１と接続可能な電子装置である。図１は制御ユニット１０を模式的に示す。ここで示される実施例では、制御ユニット１０は保持素子９に形成されている。圧電アクチュエータ１１は制御ユニット１０に接続されている。
【００６９】
制御ユニット１０は、電圧、特に交流電圧を圧電アクチュエータ１１に印加するように構成されている。これによって、圧電アクチュエータ１１の振動を励起することできる。制御ユニット１０によって圧電アクチュエータ１１に印加される交流電圧は、広い周波数スペクトラムからの周波数を有してもよい。制御ユニット１０は、例えば、１Ｈｚ〜１０ｋＨｚの間の周波数を有する交流電圧を圧電アクチュエータ１１に印加するように構成されてもよい。印加される交流電圧の周波数に応じて、圧電アクチュエータ１１の振動、ならびにペン型入力および／または出力デバイス１のユーザに発生する触感が変化する。異なる周波数を印加することによって、異なる表面の異なるテクスチャの触感を発生させることができる。
【００７０】
圧電アクチュエータ１１は、さらに、「読み込みモード」の動作モードでセンサとして用いられてもよい。ペン型入力および／または出力デバイス１は評価ユニット１２を有してもよい。図１は評価ユニット１２を模式的に示す。例えば、上記の制御ユニット１０を形成する電子装置は、評価ユニット１２を形成することもできる。
【００７１】
ペン型入力および／または出力デバイス１を表面上を移動させると、当該表面がプローブ素子８に作用し、プローブ素子８から圧電アクチュエータ１１に力が加えられる。この圧電アクチュエータ１１に加えられる力によって、圧電アクチュエータ１１において圧電効果で電圧が発生する。評価ユニット１２は、圧電アクチュエータ１１に接続され、発生した電圧を識別する。評価ユニット１２は評価ユニット１２が識別した信号に対して前処理を行い、また、評価ユニット１２は、圧電アクチュエータ１１が検出した電圧の特徴を表す値を記憶する。これによって、評価ユニット１２は表面プロファイルを作成することができる。当該作成された表面プロファイルを評価ユニット１２によって記憶する。
【００７２】
その後のある時点で、評価ユニット１２に記憶されたプロファイルを制御ユニット１０によって使用することで、圧電アクチュエータ１１に対応する電圧を印加し、圧電アクチュエータの振動を励起することができる。これによって、予め記憶された表面において、ペン型入力および／または出力デバイス１を案内するような触感を発生させることができる。
【００７３】
図３は第２実施例に係るペン型入力および／または出力デバイス１の一部を示す。ペン型入力および／または出力デバイス１は、同様に圧電アクチュエータ１１を含むアクチュエータユニットを有する。圧電アクチュエータはここではシート状である。アクチュエータユニットは機械的強化素子１３ａをさらに有する。機械的強化素子１３ａは圧電アクチュエータ１１に固定されており、圧電アクチュエータ１１の長さの変化を強化させるように構成されている。機械的強化素子１３ａは図３に示されず、図４を参照して説明する。
【００７４】
ペン型入力および／または出力デバイス１は、同様にプローブ素子５および保持素子９をさらに有する。プローブ素子５は図１および図２に示すプローブ素子５にほぼ対応する。プローブ素子５は圧電アクチュエータ１１によって振動するように構成されている。プローブ素子５は保持素子９および図３に示されていないベース２に対して自在に可動する。
【００７５】
保持素子９は圧電アクチュエータ１１に固定接続されている。ここで、圧電アクチュエータ１１とベース２とは機械的に分離されているため、圧電アクチュエータ１１の振動はベース２に伝達されない。
【００７６】
第２実施例に係るペン型入力および／または出力デバイス１は、さらに制御ユニット１０を有する。第２実施例において、圧電アクチュエータ１１は表面プロファイルを読み込むためのセンサとして用いられてもよい。ここで、ペン型入力および／または出力デバイスは第１実施例で説明した評価ユニット１２に対応する評価ユニット１２を有してもよい。
【００７７】
図４、図５および図６は第２実施例に応用可能な２つの機械的強化素子１３ａ、１３ｂを含む圧電アクチュエータ１１を示す。当該圧電アクチュエータ１１は、本発明の触覚信号を発生させるためのペン型入力および／または出力デバイスに応用することができる。代替の手段として、機械的強化素子１３ａ、１３ｂを有さない、または圧電アクチュエータとプローブ素子との間に配置された機械的強化素子１３ａのみを有するアクチュエータを使用してもよい。
【００７８】
圧電アクチュエータ１１は複数の圧電層２２および内部電極２１を含む焼結部材である。圧電アクチュエータ１１は、特に、積層体を構成するように交互に配置された複数の圧電層または活性層２２を有する。圧電層２２の間に内部電極２１が配置されている。ここで、極性の異なる内部電極２１が交互に配置されている。
【００７９】
圧電層２２は積層方向Ｓを有する。積層方向はアクチュエータ１１の端面または側面２４に沿って延在する。圧電層２２は、特にアクチュエータ１１の垂直の伸びまたは厚さに沿って積層される。
【００８０】
アクチュエータ１１の一つの端面２４の領域において、一方の極性の内部電極２１のみがアクチュエータ１１の対応する端面２４まで延在している。上記領域はアクチュエータ１１の接触に利用可能である。例えば、端面２４に電気的接触のための外部電極２３が配設されてもよい。
【００８１】
アクチュエータ１１は、電圧が印加される場合にアクチュエータ１１が変形するように構成されている。ここで言及するのは、アクチュエータ１１の第１方向Ｒ１における伸びの変化である。圧電層２２は特に、内部電極２１の間に印加された電圧によってアクチュエータ１１に横方向の収縮が生じ、アクチュエータ１１の積層方向Ｓに垂直な長さが変化するように分極される。したがって、アクチュエータ１１の伸びは分極方向および電界に対して横方向に変化する（ｄ３１効果）。
【００８２】
積層方向Ｓの長さの変化の効果をさらに強化するために、上記装置は２つの機械的強化素子１３ａ、１３ｂを有しており、アクチュエータ１１に電圧が印加されると、機械的強化素子１３ａ、１３ｂは、アクチュエータ１１の伸びの変化によって少なくとも一部が変形する。以下に詳しく説明する。
【００８３】
アクチュエータ１１は機械的強化素子１３ａ、１３ｂの間に配置されている。機械的強化素子１３ａ、１３ｂは、少なくとも一部がアクチュエータ１１の上側２５または下側２６に位置する。対応する機械的強化素子１３ａ、１３ｂの幅はアクチュエータ１１の幅と等しいことが好ましい。機械的強化素子１３ａ、１３ｂの長さについても同様である。
【００８４】
対応する機械的強化素子１３ａ、１３ｂは一体的に構成されている。対応する機械的強化素子１３ａ、１３ｂは矩形形状を有する。対応する機械的強化素子１３ａ、１３ｂはストライプ状である。対応する機械的強化素子１３ａ、１３ｂは湾曲またはカール状である。対応する機械的強化素子は、例えば帯板を有し、上記帯板は湾曲している。以下に詳しく説明する。
【００８５】
一体式の機械的強化素子１３ａ、１３ｂのそれぞれは、複数の領域または区間に区画されている。これによって、対応する機械的強化素子１３ａ、１３ｂは中間領域１７ａ、１７ｂを有する。
【００８６】
対応する機械的強化素子１３ａ、１３ｂは、それぞれに２つの接続領域２０ａ、２０ｂをさらに有する。対応する機械的強化素子１３ａ、１３ｂの２つの接続領域２０ａ、２０ｂは対応する機械的強化素子１３ａ、１３ｂの中間領域１７ａ、１７ｂと直接接続されている。言い換えれば、対応する機械的強化素子１３ａ、１３ｂの中間領域１７ａ、１７ｂは両側に向かう方向において２つの接続領域２０ａ、２０ｂで囲まれている。
【００８７】
対応する機械的強化素子１３ａ、１３ｂは、さらにそれぞれ２つの末端領域１８ａ、１８ｂを有する。末端領域１８ａ、１８ｂは対応する増強素子１３ａ、１３ｂの接続領域２０ａ、２０ｂに直接に接続されている。言い換えれば、接続領域２０ａ、２０ｂのそれぞれは、一方の末端領域１８ａ、１８ｂと増強素子１３ａ、１３ｂの中間領域１７ａ、１７ｂとを接続している。
【００８８】
対応する機械的強化素子の２つの末端領域１８ａ、１８ｂはアクチュエータ１１の表面に直接に密接する。これによって、第１機械的強化素子１３ａの第１および第２末端領域１８ａはアクチュエータ１１の上側２５の一部に密接する。また、第２機械的強化素子１３ｂの第１および第２末端領域１８ｂはアクチュエータ１１の下側２６の一部に密接する。
【００８９】
末端領域１８ａ、１８ｂは、アクチュエータ１１の表面に分離不能に接続されることが好ましい。末端領域１８ａ、１８ｂは、特にアクチュエータ１１の表面に接着によって接続される。
【００９０】
中間領域１７ａ、１７ｂと接続領域２０ａ、２０ｂおよびアクチュエータ１１の下側２６または上側２５との間に自由領域が設けられている。自由領域１６の高さは自由領域１６に沿って変化する。これにより、中間領域１７ａ、１７ｂはアクチュエータ１１の表面に平行に延在するように構成されている。したがって、自由領域１６の高さは、中間領域１７ａ、１７ｂの領域において最も高くなる。対応する接続領域２０ａ、２０ｂは、アクチュエータ１１の表面に対して傾斜して延在する。言い換えれば、対応する接続領域２０ａ、２０ｂとアクチュエータ１１の上側２５または下側２６とは所定の角度をなす。この角度は４５°以下が好ましい。したがって、自由領域１６の高さは、中間領域１７ａ、１７ｂから、対応する機械的強化素子１３ａ、１３ｂの末端領域１８ａ、１８ｂに向かって小さくなる。したがって、対応する機械的強化素子１３ａ、１３ｂは湾曲形状を有する。
【００９１】
対応する機械的強化素子１３ａ、１３ｂは少なくとも１つの薄肉部１４、好ましくは複数の薄肉部１４を有し、これによって、機械的強化素子１３ａ、１３ｂに必要な柔軟性を確保することができる。
【００９２】
アクチュエータ１１に電圧が印加されると、対応する増強素子１３ａ、１３ｂの中間領域１７ａ、１７ｂおよび接続領域２０ａ、２０ｂはアクチュエータ１１に対して第２方向Ｒ２に沿って移動する。第２方向Ｒ２は第１方向Ｒ１に垂直である。第２方向Ｒ２は積層方向Ｓに沿って延びる。これによって、中間領域１７ａ、１７ｂおよび接続領域２０ａ、２０ｂは、アクチュエータ１１の第１方向Ｒ１における伸びが変化する場合に、アクチュエータ１１に対して第２方向Ｒ２に沿って移動する機械的強化素子１３ａ、１３ｂの一部を構成する。
【００９３】
特に、中間領域１７ａ、１７ｂは第２方向Ｒ２に沿って移動する。ここで、対応する機械的強化素子１３ａ、１３ｂは、中間領域１７ａ、１７ｂと接続領域２０ａ、２０ｂとの間、および接続領域２０ａ、２０ｂと末端領域１８ａ、１８ｂとの間の薄肉部１４に位置する箇所で湾曲する。
【００９４】
末端領域１８ａ、１８ｂの第２方向Ｒ２に沿う移動は、アクチュエータ１１との接着によって妨害される。具体的には、末端領域１８ａ、１８ｂはアクチュエータ１１に従って第１方向Ｒ１に沿って移動する。したがって、末端領域１８ａ、１８ｂと一部１７ａ、１７ｂとの間で相対的移動が発生する。
【００９５】
機械的強化素子は他の構成手段としてもよい。図５は別の実施例に係るペン型入力および／または出力デバイス１を示す。
【００９６】
ペン型入力および／または出力デバイス１は、表面プロファイルを読み込む過程においてペン型入力および／または出力デバイス１の精度を向上させることができるセンサを有する。また、センサによって測定された測定データに基づいて、ペン型入力および／または出力デバイス１によって表面のリアルな触覚信号を発生させることができる。
【００９７】
上記センサの一つは傾角センサ２７である。傾角センサ２７はペン型入力および／または出力デバイス１の傾角を識別するように構成されている。当該傾角は、特にペン型入力および／または出力デバイス１の縦軸と現実表面または仮想表面との間の角度であってもよい。代替の手段として、ペン型入力および／または出力デバイス１の地面に向かう方向に対する傾きを確定してもよい。
【００９８】
傾角センサ２７によって測定された傾角は、制御ユニット１０によって圧電アクチュエータ１１を制御する過程において考慮されてもよい。ペンが表面に垂直であるか、または表面と平坦に近い傾角をなすように配置されているかによって、表面上でペンを案内する間に発生する触感が異なる。ペン型入力および／または出力デバイス１と現実または仮想表面との間の傾角を識別し、圧電アクチュエータ１１に対する制御において角度を考慮することによって、現実的な触感を発生させることができ、さらに、デバイスの表面に対する傾きも考慮され、触覚体験によって再現が可能になる。触覚信号は、特に傾角に応じて変化することができる。ここで、アクチュエータユニットによって振動を発生させる動作モード「再現モード」において、圧電アクチュエータ１１が発生させた振動が、傾角センサ２７によって測定された傾角に応じて変化する触感をユーザに伝える。
【００９９】
圧電アクチュエータ１１がセンサとして用いられる動作モード「読み込みモード」では、傾角センサに記録された傾角に関するデータを考慮してもよい。圧電アクチュエータ１１が表面プロファイルを読み込むセンサとして用いられると、傾角センサ２７によってペン型入力および／または出力デバイス１と対応する表面との間の傾角を同時に測定するとともに、プロファイルを作成するときにこの傾角を考慮することができる。このようにすれば、ペン型入力および／または出力デバイス１の読み込み対象表面に対する角度に関係なく、プロファイルを記録することができる。
【０１００】
傾角センサ２７によって、例えば表面を読み込み、また、ペン型入力および／または出力デバイス１を表面に対する第１の傾角で保持することができる。プロファイルを記憶するときにこの傾角を考慮してプロファイルを記憶することによって、この傾角を読み込み過程での傾角と無関係にする。その後、動作モード「再現モード」で、記憶されたプロファイルを使用し、かつペン型入力および／または出力デバイス１が第１の角度と異なる第２の角度で表面に配置される場合に、第２の角度で表面を読み込んでいないにもかかわらず、デバイスのレイアウトに対する現実的な触感をその角度で発生させることができる。
【０１０１】
表面を読み込む間に、例えば、ユーザがデバイスの握り方を変えたために、表面とペン型入力および／または出力デバイス１との間の傾角が変化した場合は、傾角センサ２７によってこの変化を識別し、表面プロファイルを作成する過程で傾角の変化を考慮してもよい。
【０１０２】
上記センサのもう一つは速度センサ２８である。速度センサ２８は、特にペン型入力および／または出力デバイス１が表面上を移動するときの速度を測定することができる。
【０１０３】
速度センサ２８によって測定された速度情報は、ペン型入力および／または出力デバイス１の２つの動作モードに応用することができる。「再現モード」では、ペン型入力および／または出力デバイス１が移動するときの速度を考慮する場合に発生する触覚信号を調整することができる。これによって、触覚信号の変化をリアルに再現し、ペンが表面上をゆっくりまたは素早く移動するときに、その変化を発生させることができる。
【０１０４】
ペン型入力および／または出力デバイス１が「読み込みモード」に応用された場合は、ペン型入力および／または出力デバイス１が読み込み対象表面上を移動するときの速度を考慮することによって、ペン型入力および／または出力デバイス１が表面上を移動するときの速度と関係なく、表面プロファイルを読み込むことができる。その後、そのプロファイルを、触感を発生させるためのテンプレートとして用いると、触感はプロファイルを読み込むときの速度と無関係になる。
【０１０５】
速度センサ２８および傾角センサ２７は同じセンサによって形成されてもよい。ここで示される実施例では、互いに独立した２つのセンサを示す。
【０１０６】
上記センサのもう一つは、ペン型入力および／または出力デバイス１の加速度を測定する加速度センサ２９である。デバイスを用いて触感を発生させるときであっても、デバイスで表面プロファイルを読み込むときであっても、加速度情報を考慮することができる。再現モードでは、ペン型入力および／または出力デバイス１に加えられる加速度の変化に応じて、発生する触覚信号を変えてもよい。読み込みモードでは、プロファイルを読み込む過程で、上述したように加速度を考慮することによって、読み込み期間にペン型入力および／または出力デバイス１に加えられる加速度と関係なく、プロファイルを記憶することができる。
【０１０７】
また、例えばペン型入力および／または出力デバイス１の動作モードを切り替えるために、ユーザは入力および／または出力デバイス１の揺動、あるいは入力および／または出力デバイス１で表面を１回以上叩くことによって、制御命令を発信することができる。これらの動きは、いずれも加速度センサ２９によって識別可能な特徴的な加速度パターンを有する。したがって、加速度センサ２９を制御命令の識別に用いることができる。
【０１０８】
ここで示される実施例において、加速度センサ２９は独立したセンサである。独立した加速度センサ２９の代替または補充手段として、アクチュエータユニットの圧電アクチュエータ１１を加速度センサとして用いてもよい。
【０１０９】
ペン型入力および／または出力デバイスに加速度が加えられることによって、圧電アクチュエータ１１に力が印加されると、圧電アクチュエータ１１に電圧が発生する。これによって、圧電アクチュエータ１１が発生させた電圧に応じて加速度を確定することができる。したがって、圧電アクチュエータ１１は加速度センサとして動作させることができる。動作モード「読み込みモード」で、圧電アクチュエータ１１に発生した電圧を連続して確定する。圧電アクチュエータ１１に接続された評価ユニット１２は、ペン型入力および／または出力デバイス１を表面に沿って案内することによって発生する電圧と、上記動きの特徴的加速度を体現することによって発生する電圧とを区別することができる。「再現モード」においても、圧電アクチュエータ１１に発生した電圧を連続してモニタリングすることによって、ペン型入力および／または出力デバイス１に加えられた加速度を確定してもよい。
【０１１０】
傾角センサ２７、速度センサ２８および加速度センサ２９はそれぞれＭＥＭＳ部品であってもよい。
【０１１１】
ここで述べたセンサ２７、２８、２９を使用することによって、表面プロファイルを読み込む過程、および触覚信号をリアルに発生する過程において精度を向上させることができる。しかし、ここで述べたセンサ２７、２８、２９を備えなくても、ペン型入力および／または出力デバイス１は機能が完全である。情報を収集して読み込み対象表面のプロファイルを作成するためには、圧電アクチュエータ１１に発生する電圧に基づくだけでも十分である。
【０１１２】
ペン型入力および／または出力デバイス１の制御ユニット１０および／または評価ユニット１２は、制御信号、例えば起動信号または他の制御信号を識別するように構成されている。
【０１１３】
起動信号が識別された場合にのみ、例えば、圧電アクチュエータ１１に電圧を印加することによってアクチュエータユニットを作動させてもよい。異なる手段によって当該起動信号を識別してもよい。例えば、制御ユニット１０は、ユーザがいつペン型入力および／または出力デバイス１を手に取ったかを識別することができる。その場合、手に取ることが起動信号として解釈される。この起動信号が識別された場合にのみ、圧電アクチュエータ１１に電圧を印加することによってアクチュエータユニットを作動させることができる。
【０１１４】
例えば、上記センサ２７、２８、２９のうちの一つまたは複数の測定値に基づいて、手に取ったことを確定してもよい。例えば、ペン型入力および／または出力デバイス１を手に取ることは、特徴的な動き、さらに特徴的な加速度パターンと関連付けられている。加速度センサによる測定および／または圧電アクチュエータ１１に発生する電圧に基づいて、この加速度パターンを識別してもよい。このため、ペン型入力および／または出力デバイス１の待機モードにおいても、圧電アクチュエータ１１に発生する電圧をモニタリングしてもよい。図６に示すように、圧電アクチュエータ１１に発生した電圧を読み出し、この圧電アクチュエータを圧力センサとして用いることによって、手に取ることを識別してもよい。
【０１１５】
代替または補充の手段として、ペン型入力および／または出力デバイス１は距離センサ３０を有してもよい。ペン型入力および／または出力デバイス１と現実または仮想表面との間の距離を確定する距離センサ３０によって、起動信号を識別することができる。距離が所定の最小距離以下になった場合にのみ、この表面に近付ける操作が起動信号として解釈され、アクチュエータユニットに対する電圧の印加が開始される。
【０１１６】
距離センサ３０はＭＥＭＳ部品であってもよい。距離センサ３０は、例えば光学測定または超音波測定に基づいて距離を確定することができる。対応するソフトウェアによって仮想表面との距離を確定してもよい。
【０１１７】
代替または補充の手段として、ペン型入力および／または出力デバイス１の表面との接触を起動信号として解釈してもよい。圧電アクチュエータ１１における電圧の発生によって、表面に対する接触を識別してもよい。代替の手段として、距離センサ３０が距離ゼロを測定することによって、表面に対する接触を識別してもよい。
【０１１８】
代替または補充の手段として、ペン型入力および／または出力デバイス１で表面を叩打することによって、起動信号を発信してもよい。その場合、圧電アクチュエータ１１が受けた衝撃によって、高電圧を有する短い電圧パルスが発生する。この電圧が所定の閾値を超えれば、この衝撃が制御信号として識別され、デバイスが作動モードに移行する。
【０１１９】
同様に、ペン型入力および／または出力デバイス１で表面を叩打することによって、制御信号を発信してもよい。その場合、叩打操作回数によって異なる制御信号を発信してもよい。マウスでダブルクリックするように、制御ユニット１０は、１回の叩打と２回の叩打を区別することができる。そのため、予め定められた期間内に、圧電アクチュエータ１１に発生する電圧の閾値を超える頻度を確定する。例えば、閾値を１回超えれば、１回の叩打と見なすことができる。１回叩打することで、ペン型入力および／または出力デバイス１は第１動作モード、例えば再現モードまたは読み込みモードに移行してもよい。例えば、閾値を２回超えれば、二重叩打と見なすことができる。２回の叩打は、第２動作モード（例えば読み込みモードまたは再現モード）を選択するための制御信号と解釈してもよい。
【０１２０】
例えば、ペン型入力および／または出力デバイス１を表面に長押しすることによって、他の制御信号を発信してもよい。ここで、圧電アクチュエータ１１に発生する電圧が閾値よりも高い時間幅を検出する。例えば、ペン型入力および／または出力デバイス１が、予め定められた時間幅、例えば数秒間表面に長押しされた場合、制御ユニット１０はこれを制御信号として理解する。例えば、このような長押しによってデバイスを作動モードから待機モードに移行させてもよい。
【０１２１】
上述したように、入力および／または出力デバイス１は読み込みモードで動作することができ、このモードで、一つまたは複数の表面に沿ってデバイスを案内し、上記表面のプロファイルを記憶する。このモードでは、電圧を識別するためのセンサとして圧電アクチュエータ１１を用いる。
【０１２２】
読み込みモードにおいても、圧電アクチュエータ１１によって振動を発生させてもよい。例えば、ユーザが過度に力を入れてデバイスを読み込み対象表面へ押し付けていることが識別され、デバイスが損傷するおそれがある場合、読み込みモードであっても、圧電アクチュエータ１１は振動を発生させてもよい。この場合に、アクチュエータ１１は短く振動することによってユーザに警告し、デバイスを待機状態に切り替えるようユーザに指示することで、損傷を回避することができる。
【０１２３】
また、上記デバイスは再現モードに応用することもできる。このモードでは、アクチュエータユニットは振動を発生させて、ユーザに触感を伝える。再現モードにおいても、圧電アクチュエータ１１をセンサとして用いることができる。特に、アクチュエータ１１を、デバイスに印加する過大圧力を識別するためのセンサとして用いてもよい。再現モードでは、アクチュエータ１１によって制御信号としての力強い押圧または特徴的な加速度パターンを識別してもよい。これによって、圧電アクチュエータ１１をセンサとして用いるとともに、振動の発生に用いることが可能である。
【０１２４】
図５に示す実施例では、距離センサ３０はプローブ素子５に配置されている。図５に示す実施例では、傾角センサ２７、速度センサ２８および加速度センサ２９がいずれも保持素子９に配置されている。センサ２７、２８、２９および３０のそれぞれは、ペン型入力および／または出力素子の他の任意の位置に配置されてもよい。
【０１２５】
図６は、さらに別の実施例に係るペン型入力および／または出力デバイス１を示す。ペン型入力および／または出力デバイス１は、デバイス内でデバイス１の表面の真下に配置された２つの圧電アクチュエータ１１を有する。図６の模式的な図示においては、簡潔に図示するために、デバイス１の外部に位置するように圧電アクチュエータ１１を示したが、図６は圧電アクチュエータ１１の位置を簡潔に示すためのものであり、圧電アクチュエータ１１は実際にはデバイス１の内部に配置されている。
【０１２６】
２つの圧電アクチュエータ１１はそれぞれにペン型入力および／または出力デバイス１を掴むまたは把持するユーザの指１００、１０１が通常位置する箇所に配置されている。
【０１２７】
この２つの圧電アクチュエータ１１は圧力センサとして用いられる。圧電アクチュエータ１１において指１００、１０１で印加される圧力によって生じる電圧を読み出し、そうすることで、ペン型入力および／または出力デバイス１を手に取る操作および把持する操作を識別することができる。
【０１２８】
２つのアクチュエータ１１はベース２の長手方向Ｌに沿って配置されている。ここで、長手方向Ｌは、ペン型デバイス１の第１末端３から第２末端４まで延在する。代替の手段として、長手方向Ｌに垂直に配置される圧電アクチュエータ１１を、１つだけ設けてもよい。長手方向に延在する２つのアクチュエータを使用することで、指１００、１０１による接触をより確実に識別することができる。アクチュエータ１１を１つだけ使用する利点は省スペースにある。
【０１２９】
ペン型入力および／または出力デバイス１を、タッチ機能を有するスクリーンと組み合わせて使用すれば、スクリーンのタッチ機能によってデバイス１の第１末端３の位置を測定し、その情報をデバイスにワイヤレスで転送することができる。
【符号の説明】
【０１３０】
１  ペン型入力および／または出力デバイス
２  ベース
３  入力および／または出力デバイスの第１末端
４  入力および／または出力デバイスの第２末端
５  プローブ素子
６  圧電アクチュエータの第１末端
７  圧電アクチュエータの第２末端
８  プローブ先端部
９  保持素子
１０  制御ユニット
１１  圧電アクチュエータ
１２  評価ユニット
１３ａ、１３ｂ  機械的強化素子
１４  薄肉部
１６  自由領域
１７ａ、１７ｂ  中間領域
１８ａ、１８ｂ  末端領域
２０ａ、２０ｂ  接続領域
２１  内部電極
２２  圧電層
２３  外部電極
２４  端面
２５  上側
２６  下側
２７  傾角センサ
２８  速度センサ
２９  加速度センサ
３０  距離センサ
１００、１０１  指
Ｌ  長手方向
Ｒ１  第１方向
Ｒ２  第２方向
Ｓ  積層方向
【図１】
2021524639.tif 000003
【図２】
2021524639.tif 000004
【図３】
2021524639.tif 000005
【図４】
2021524639.tif 000006
【図５】
2021524639.tif 000007
【図６】
2021524639.tif 000008
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
圧電アクチュエータ（１１）を有するアクチュエータユニットを有する
ペン型入力および／または出力デバイス（１）。
【請求項２】
前記圧電アクチュエータ（１１）に電圧を印加するように構成された制御ユニット（１０）を有する
請求項１に記載のペン型入力および／または出力デバイス（１）。
【請求項３】
前記制御ユニット（１０）には、プロファイル、例えば表面プロファイルが保存されており、
前記制御ユニット（１０）は、前記圧電アクチュエータ（１１）を制御して、前記保存されたプロファイルの触感を発生させる信号を、前記ペン型入力および／または出力デバイス（１）に発生させるように構成されている
請求項２に記載のペン型入力および／または出力デバイス（１）。
【請求項４】
前記圧電アクチュエータ（１１）がセンサとして用いられ、前記ペン型入力および／または出力デバイス（１）に対する操作により、前記圧電アクチュエータ（１１）に電圧を発生させ、
前記ペン型入力および／または出力デバイス（１）は、前記圧電アクチュエータ（１１）に発生した電圧を識別し、前記発生した電圧の特徴を表す値を記憶するように構成された評価ユニット（１２）を有するように構成されている、
請求項１〜３のいずれか一項に記載のペン型入力および／または出力デバイス（１）。
【請求項５】
前記圧電アクチュエータ（１１）が、センサとして用いられるとともに、振動の発生に用いられるように構成されている
請求項４に記載のペン型入力および／または出力デバイス（１）。
【請求項６】
前記制御ユニット（１０）は、前記評価ユニット（１２）に記憶された値に基づいて前記圧電アクチュエータ（１１）を制御するように構成されている
請求項２および５に記載のペン型入力および／または出力デバイス（１）。
【請求項７】
前記アクチュエータユニットに接続されたプローブ素子（８）を有する
請求項１〜６のいずれか一項に記載のペン型入力および／または出力デバイス（１）。
【請求項８】
前記アクチュエータユニットは、前記圧電アクチュエータ（１１）に固定された機械的強化素子（１３ａ、１３ｂ）を有する
請求項１〜７のいずれか一項に記載のペン型入力および／または出力デバイス（１）。
【請求項９】
前記機械的強化素子（１３ａ、１３ｂ）は、前記圧電アクチュエータ（１１）の第１方向（Ｒ１）における伸びの変化により変形することによって、前記機械的強化素子（１３ａ、１３ｂ）の一部（１７ａ、１７ｂ、２０ａ、２０ｂ）が、前記圧電アクチュエータ（１１）に対して前記第１方向（Ｒ１）に垂直な第２方向（Ｒ２）に沿って可動となるように構成および配置されている
請求項８に記載のペン型入力および／または出力デバイス（１）。
【請求項１０】
前記圧電アクチュエータ（１１）は、長さの変化によって、ｄ３１効果を利用して振動を発生させるように構成および配置され、
または、
前記圧電アクチュエータ（１１）は、長さの変化によって、ｄ３３効果を利用して振動を発生させるように構成および配置されている
請求項１〜９のいずれか一項に記載のペン型入力および／または出力デバイス（１）。
【請求項１１】
傾角センサ（２７）および／または距離センサ（３０）および／または速度センサ（２８）および／または加速度センサ（２９）をさらに有する
請求項１〜１０のいずれか一項に記載のペン型入力および／または出力デバイス（１）。
【請求項１２】
前記アクチュエータユニットに対する制御において、および／または前記アクチュエータユニットに発生した電圧に対する評価において、前記傾角センサ（２７）によって検出された角度を考慮し、
かつ／または、
前記アクチュエータユニットに対する制御において、および／または前記アクチュエータユニットに発生した電圧に対する評価において、前記速度センサ（２８）によって検出された速度を考慮し、
かつ／または、
前記アクチュエータユニットに対する制御において、および／または前記アクチュエータユニットに発生した電圧に対する評価において、前記加速度センサ（２９）によって検出された加速度を考慮する
請求項１１に記載のペン型入力および／または出力デバイス（１）。
【請求項１３】
制御信号を識別するように構成されている
請求項１〜１２に記載のペン型入力および／または出力デバイス（１）。
【請求項１４】
センサ情報に基づいて、適切なアルゴリズム識別によって制御信号を識別するように構成されている
請求項１３に記載のペン型入力および／または出力デバイス（１）。
【請求項１５】
起動信号を識別し、前記起動信号が識別された場合にのみ、前記アクチュエータユニットを作動させるように構成されている
請求項１〜１４のいずれか一項に記載のペン型入力および／または出力デバイス（１）。
【請求項１６】
前記圧電アクチュエータ（１１）に記録された電圧に基づいて加速度を確定するように構成されている
請求項１〜１５のいずれか一項に記載のペン型入力および／または出力デバイス（１）。
【請求項１７】
前記圧電アクチュエータ（１１）以外に、他のセンサを有しておらず、または
前記圧電アクチュエータ（１１）以外に、他のセンサを多くとも２つ有する
請求項１〜１６のいずれか一項に記載のペン型入力および／または出力デバイス（１）。
【請求項１８】
前記圧電アクチュエータ（１１）は圧力センサとして用いられるように構成されている
請求項１〜１７のいずれか一項に記載のペン型入力および／または出力デバイス（１）。
【請求項１９】
前記圧電アクチュエータ（１１）に発生した電圧に基づいて、前記ペン型入力および／または出力デバイス（１）を手に取る操作または把持する操作を識別するように構成されている
請求項１〜１８のいずれか一項に記載のペン型入力および／または出力デバイス（１）。
【請求項２０】
前記圧電アクチュエータ（１１）を触覚信号の発生に用いる再現モードにおいて、前記圧電アクチュエータ（１１）を同時にセンサとして動作させ、前記圧電アクチュエータ（１１）に存在する電圧をモニタリングするように構成されている
請求項１〜１９のいずれか一項に記載のペン型入力および／または出力デバイス（１）。
【請求項２１】
前記ペン型入力および／または出力デバイス（１）内で前記ペン型入力および／または出力デバイス（１）の表面の真下に配置された２つの前記圧電アクチュエータ（１１）を有する
請求項１〜２０のいずれか一項に記載のペン型入力および／または出力デバイス（１）。
【請求項２２】
圧電アクチュエータ（１１）を含むアクチュエータユニットを有するペン型入力および／または出力デバイス（１）によって触覚信号を発生させる方法であって、
制御ユニット（１０）が前記圧電アクチュエータ（１１）に電圧を印加することによって、前記圧電アクチュエータ（１１）の振動を励起し、前記振動によって触覚信号を発生させる方法。
【請求項２３】
前記制御ユニット（１０）が前記圧電アクチュエータ（１１）に電圧を印加することによって、表面の触感を発生させる信号を、前記圧電アクチュエータ（１１）の振動によって発生させる
請求項２２に記載の方法。
【請求項２４】
第１ステップにおいて、前記ペン型入力および／または出力デバイス（１）を表面に沿って移動させ、前記表面が前記アクチュエータユニットに接続された素子に作用することによって、前記圧電アクチュエータ（１１）が、評価ユニット（１２）によって識別される電圧を発生させ、前記評価ユニット（１２）は、発生した電圧の特徴を表す値を記憶し、さらに前記表面プロファイルを記憶する
請求項２２または２３に記載の方法。
【請求項２５】
第２ステップにおいて、前記制御ユニット（１０）は、前記記憶されたプロファイルに基づいて前記圧電アクチュエータ（１１）を制御する
請求項２４に記載の方法。
【請求項２６】
前記第１ステップの間に、前記ペン型入力および／または出力デバイス（１）と表面との間の角度を検出し、前記表面プロファイルを作成する過程で前記評価ユニット（１２）によって前記角度を考慮し、
かつ／または
前記第１ステップの間に、前記ペン型入力および／または出力デバイス（１）が表面上を移動するときの速度を検出し、前記表面プロファイルを作成する過程で前記評価ユニット（１２）によって前記速度を考慮し、
かつ／または
前記第１ステップの間に、前記ペン型入力および／または出力デバイス（１）が表面上を移動するときの加速度を検出し、前記表面プロファイルを作成する過程で前記評価ユニット（１２）によって前記加速度を考慮する
請求項２４または２５に記載の方法。
【請求項２７】
前記ペン型入力および／または出力デバイス（１）を、仮想現実アプリケーションまたは拡張現実アプリケーションに応用する
請求項２２〜２６のいずれか一項に記載の方法。
【請求項２８】
前記ペン型入力および／または出力デバイス（１）の傾角を検出し、前記傾角を考慮する場合に、前記制御ユニット（１０）が前記圧電アクチュエータ（１１）に印加する電圧の大きさを調整し、
かつ／または
前記ペン型入力および／または出力デバイス（１）の移動時の速度を検出し、前記速度を考慮する場合に、前記制御ユニット（１０）が前記圧電アクチュエータ（１１）に印加する電圧の大きさを調整し、
かつ／または
前記ペン型入力および／または出力デバイス（１）にかかる加速度を検出し、前記加速度を考慮する場合に、前記制御ユニット（１０）が前記圧電アクチュエータ（１１）に印加する電圧の大きさおよび周波数を調整する
請求項２２〜２７のいずれか一項に記載の方法。
【請求項２９】
前記ペン型入力および／または出力デバイス（１）によって、前記ペン型入力および／または出力デバイス（１）から表面までの距離を識別する
請求項２２〜２８のいずれか一項に記載の方法。
【請求項３０】
前記ペン型入力および／または出力デバイス（１）によって制御信号を識別する
請求項２２〜２９のいずれか一項に記載の方法。
【請求項３１】
前記圧電アクチュエータ（１１）で検出された電圧が予め定められた閾値を超えることによって、前記制御信号を識別する
請求項３０に記載の方法。
【請求項３２】
前記圧電アクチュエータ（１１）で検出された電圧が所定の時間間隔内に前記予め定められた閾値を超える頻度に基づいて、異なる制御信号を識別する
請求項３１に記載の方法。
【請求項３３】
前記圧電アクチュエータ（１１）で検出された電圧が前記予め定められた閾値を超える持続時間に基づいて、異なる制御信号を識別する
請求項３１または３２に記載の方法。
【請求項３４】
前記ペン型入力および／または出力デバイスは、起動信号を識別し、前記起動信号を識別した場合に、前記アクチュエータユニットを作動させる
請求項２２〜３３のいずれか一項に記載の方法。
【請求項３５】
前記ペン型入力および／または出力デバイス（１）を手に取ることによって、起動信号を発信し、または
前記ペン型入力および／または出力デバイス（１）を表面に近づけることによって、起動信号を発信し、または
前記ペン型入力および／または出力デバイス（１）で表面を叩くことによって、起動信号を発信する
請求項３４に記載の方法。
【請求項３６】
前記ペン型入力および／または出力デバイス（１）は、前記圧電アクチュエータ（１１）に記録された電圧に基づいて加速度を確定する
請求項２２〜３５のいずれか一項に記載の方法。
【請求項３７】
前記ペン型入力および／または出力デバイスは特徴的な加速度パターンを識別することによって、定義された移動を検知し、前記移動は制御信号として解釈される
請求項３６に記載の方法。
【請求項３８】
前記圧電アクチュエータ（１１）はセンサとして用いられるとともに、振動の発生に用いられる
請求項２２〜３７のいずれか一項に記載の方法。
【国際調査報告】
2021524639.tif 000009
2021524639.tif 000010
2021524639.tif 000011
2021524639.tif 000012
2021524639.tif 000013
2021524639.tif 000014